(57)【特許請求の範囲】
【請求項１】
複数のレンズ群を有し、ズーミングに際して隣り合うレンズ群の間隔が変化する光学系であって、
前記複数のレンズ群のうち最も像側に配置された最終レンズ群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜
０．００３＜｛（１／Ｒｐ２）−（１／Ｒｒ１）｝×ｄｐ≦０．００８０
なる条件式を満足することを特徴とする光学系。
【請求項２】
前記最終レンズ群は正の屈折力を有することを特徴とする請求項１に記載の光学系。
【請求項３】
前記光学系は、物体側より像側へ順に、正の屈折力の第１レンズ群、負の屈折力の第２レンズ群を有することを特徴とする請求項１または２に記載の光学系。
【請求項４】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群、正の屈折力の第６レンズ群よりなり、ズーミングに際して各レンズ群が移動し、隣り合うレンズ群の間隔が変化する光学系であって、
前記第６レンズ群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜
０．００３＜｛（１／Ｒｐ２）−（１／Ｒｒ１）｝×ｄｐ＜０．６
なる条件式を満足することを特徴とする光学系。
【請求項５】
物体側より像側へ順に配置された、正の屈折力の第１レンズ群、負の屈折力の第２レンズ群、正の屈折力の第３レンズ群、正の屈折力の第４レンズ群よりなり、ズーミングに際して各レンズ群が移動し、隣り合うレンズ群の間隔が変化する光学系であって、
前記第４レンズ群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜
０．００３＜｛（１／Ｒｐ２）−（１／Ｒｒ１）｝×ｄｐ＜０．６
なる条件式を満足することを特徴とする光学系。
【請求項６】
広角端におけるバックフォーカスをｂｋｗとするとき、
０．３＜｛１／Ｒｐ２＋（ｂｋｗ−ｆｒ）／ｆｒ２｝×ｂｋｗ＜６．０
なる条件式を満足することを特徴とする請求項１乃至５のいずれか１項に記載の光学系。
【請求項７】
望遠端におけるバックフォーカスをｂｋｔとするとき、
０．３＜｛１／Ｒｐ２＋（ｂｋｔ−ｆｒ）／ｆｒ２｝×ｂｋｔ＜６．０
なる条件式を満たすことを特徴とする請求項１乃至６のいずれか１項に記載の光学系。
【請求項８】
前記樹脂レンズは、前記第１硝子レンズのレンズ面の周辺部に接着されて保持されていることを特徴とする請求項１乃至７のいずれか１項に記載の光学系。
【請求項９】
物体側より像側へ順に配置された、前群、開口絞り、後群から構成される光学系であって、前記後群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜
０．００３＜｛（１／Ｒｐ２）−（１／Ｒｒ１）｝×ｄｐ≦０．０１２４
なる条件式を満足することを特徴とする光学系。
【請求項１０】
前記光学系のバックフォーカスをｂｋとするとき、
０．３＜｛１／Ｒｐ２＋（ｂｋ−ｆｒ）／ｆｒ２｝×ｂｋ＜６．０
なる条件式を満足することを特徴とする請求項９に記載の光学系。
【請求項１１】
請求項１乃至１０のいずれか１項に記載の光学系と、該光学系によって形成された像を受光する撮像素子を有することを特徴とする撮像装置。
【発明の詳細な説明】
【技術分野】
【０００１】
本発明は、光学系及びそれを有する撮像装置に関し、例えばデジタルスチルカメラ、デジタルビデオカメラ、ＴＶカメラ、監視用カメラ等の撮影光学系に好適なものである。
【背景技術】
【０００２】
従来より、一眼レフカメラ等の撮影光学系には高い光学性能を有し、かつ全系が小型軽量であることが要望されている。撮影光学系の光学性能を高め、全系の小型、軽量化を図る方法として、硝子モールドを利用した非球面レンズや研削より製造した非球面レンズを撮影光学系中に用いる方法がある。これらの方法の中で、硝子を用いた非球面レンズの代わりに製作が容易な樹脂材料よりなる非球面レンズ（樹脂レンズ）を用いる方法がある。
【０００３】
非球面形状のレンズ面を含む樹脂レンズを用いて高ズーム比で高い光学性能を有するズームレンズが知られている（特許文献１）。樹脂材料は、硝子材料に比べて温度変化に対する屈折率の変化が大きい。従来より、温度変化があったときの樹脂材料の屈折率変化の影響を少なくするために、樹脂レンズの屈折力（パワー）を弱くした樹脂レンズを用いたズームレンズが知られている（特許文献２）。
【先行技術文献】
【特許文献】
【０００４】
【特許文献１】特開２００６−１２６７２６号公報
【特許文献２】特開２００７−０７８８３４号公報
【発明の概要】
【発明が解決しようとする課題】
【０００５】
樹脂材料を使用するプラスチックモールドより製造される非球面形状のレンズ面を有する樹脂レンズは、製造が容易で、かつ非球面効果を得ることが容易である。このため、樹脂レンズを用いると高い光学性能の光学系が容易に得られる。しかしながら、樹脂材料は温度変化により屈折率が大きく変化するため、撮影光学系に用いると、その使用環境により結像性能やピント位置が大きく変化してくる。
【０００６】
通常、樹脂材料は、温度変化による屈折率の変化率が、硝子材料の１０倍程度ある。このため、樹脂レンズを用いるときは、温度変化による光学性能の劣化やピント位置の変動等がなるべく少なくなるように構成することが重要となる。特許文献１のズームレンズでは、像側から２枚目のレンズに樹脂レンズを用いており、その近軸パワーを小さくすることで、温度が変化した際の屈折率変化によるピント変動や光学性能の劣化を小さくしている。
【０００７】
一方、樹脂レンズの非球面成分による収差補正効果を得るには、近軸パワーをある程度大きくすることが必要になってくる。また、樹脂材料は、熱に対する膨張率を表す線膨張係数も、硝子材料に対して１０倍程度である。このため、反射防止膜の材料に線膨張係数が比較的樹脂に近い材料を選ぶ必要がある。更に、膜強度を確保するために膜厚を厚くしたりすると、膜設計への制約条件が増え、硝子レンズ面に対して反射率が高くなる傾向にある。
【０００８】
このような理由より樹脂レンズのレンズ面に反射防止膜を施すのが難しく、樹脂レンズを用いると、硝子レンズに比べて反射率が高くなるため、フレアーやゴーストが発生する原因となってくる。このため撮影光学系に樹脂レンズを用いて、高い光学性能を得るときは、フレアーやゴーストの発生が少なくなるようなレンズ形状で、かつ光学系中の適切なる位置に配置することが重要になってくる。
【０００９】
また樹脂材料よりなる樹脂レンズはレンズ鏡筒内での保持が難しい。このため樹脂レンズをレンズ鏡筒内に保持するときは、光学性能が劣化しないように保持することが重要になってくる。
【００１０】
本発明は、樹脂レンズを用いて光学性能の向上を図りつつ、樹脂レンズ特有の複屈折や屈折率の不均一性に対する光学性能の劣化を軽減し、かつ樹脂レンズのレンズ面に起因するゴースト光の発生を軽減することができる光学系の提供を目的とする。
【課題を解決するための手段】
【００１１】
本発明の光学系は、複数のレンズ群を有し、ズーミングに際して隣り合うレンズ群の間隔が変化する光学系であって、
前記複数のレンズ群のうち最も像側に配置された最終レンズ群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜    ・・・（１）
０．００３＜｛（１／Ｒｐ２）−（１／Ｒｒ１）｝×ｄｐ≦０．００８０・・・（２Ｘ）
なる条件式を満足することを特徴としている。
この他、本発明の光学系は、物体側より像側へ順に配置された、正の屈折力の第１レンズ群、負の屈折力の第２レンズ群、正の屈折力の第３レンズ群、負の屈折力の第４レンズ群、正の屈折力の第５レンズ群、正の屈折力の第６レンズ群よりなり、ズーミングに際して各レンズ群が移動し、隣り合うレンズ群の間隔が変化する光学系であって、
前記第６レンズ群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜    ・・・（１）
０．００３＜｛（１／Ｒｐ２）−（１／Ｒｒ１）｝×ｄｐ＜０．６・・・（２）
なる条件式を満足することを特徴としている。
この他、本発明の光学系は、物体側より像側へ順に配置された、正の屈折力の第１レンズ群、負の屈折力の第２レンズ群、正の屈折力の第３レンズ群、正の屈折力の第４レンズ群よりなり、ズーミングに際して各レンズ群が移動し、隣り合うレンズ群の間隔が変化する光学系であって、
前記第４レンズ群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜    ・・・（１）
０．００３＜｛（１／Ｒｐ２）−（１／Ｒｒ１）｝×ｄｐ＜０．６・・・（２）
なる条件式を満足することを特徴としている。
この他、本発明の光学系は、物体側より像側へ順に配置された、前群、開口絞り、後群から構成される光学系であって、前記後群は、像側に凹面を向けた樹脂材料を用いた樹脂レンズと、該樹脂レンズの像側に配置された１枚以上の硝子材料を用いた硝子レンズを有し、
前記樹脂レンズの像側のレンズ面の曲率半径をＲｐ２、前記樹脂レンズの像側に隣接して配置された第１硝子レンズの物体側のレンズ面の曲率半径をＲｒ１、前記樹脂レンズと前記第１硝子レンズの間隔をｄｐ、前記樹脂レンズの焦点距離をｆｐ、前記樹脂レンズの像側に配置された硝子レンズの合成焦点距離をｆｒとするとき、
３．０＜｜ｆｐ／ｆｒ｜    ・・・（１）
０．００３＜｛（１／Ｒｐ２）−（１／Ｒｒ１）｝×ｄｐ≦０．０１２４・・・（２Ｙ）
なる条件式を満足することを特徴としている。
【発明の効果】
【００１２】
本発明によれば、樹脂レンズを用いて光学性能の向上を図りつつ、樹脂レンズ特有の複屈折や屈折率の不均一性に対する光学性能の劣化を軽減し、かつ樹脂レンズのレンズ面に起因するゴースト光の発生を軽減することができる光学系が得られる。
【図面の簡単な説明】
【００１３】
【図１】本発明の実施例１の光学系の広角端におけるレンズ断面図
【図２】（Ａ）、（Ｂ）  本発明の実施例１の広角端と望遠端における物体距離無限のときの収差図
【図３】本発明の実施例１の広角端における撮像面と樹脂レンズの像側のレンズ面の間で発生するゴースト概略図
【図４】本発明の実施例１の広角端における樹脂レンズの像側のレンズ面と隣接する硝子レンズの物体側のレンズ面の間で発生するゴースト概略図
【図５】本発明の実施例１の望遠端における撮像面と樹脂レンズの像側のレンズ面の間で発生するゴースト概略図
【図６】本発明の実施例１の望遠端における樹脂レンズの像側のレンズ面と隣接する硝子レンズの物体側のレンズ面の間で発生するゴースト概略図
【図７】本発明の実施例２の光学系の広角端におけるレンズ断面図
【図８】（Ａ）、（Ｂ）  本発明の実施例２の広角端と望遠端における物体距離無限のときの収差図
【図９】本発明の実施例２の広角端における撮像面と樹脂レンズの像側のレンズ面の間で発生するゴースト概略図
【図１０】本発明の実施例２の広角端における樹脂レンズの像側のレンズ面と隣接する硝子レンズの物体側のレンズ面の間で発生するゴースト概略図
【図１１】本発明の実施例２の望遠端における撮像面と樹脂レンズの像側のレンズ面の間で発生するゴースト概略図
【図１２】本発明の実施例２の望遠端における樹脂レンズの像側のレンズ面と隣接する硝子レンズの物体側のレンズ面の間で発生するゴースト概略図
【図１３】本発明の実施例３のレンズ断面図
【図１４】本発明の実施例３の単焦点レンズよりなる光学系の収差図
【図１５】本発明の実施例３の撮像面と樹脂レンズの像側のレンズ面の間で発生するゴースト概略図
【図１６】本発明の実施例３の樹脂レンズの像側のレンズ面と隣接する硝子レンズの物体側のレンズ面の間で発生するゴースト概略図
【図１７】本発明で課題とする、撮像面と樹脂レンズ面の間で発生するゴースト光の概略図
【図１８】本発明で課題とする、樹脂レンズ面の間と隣接する硝子面で発生するゴースト光の概略図
【図１９】本発明の撮像装置の要部概略図
【発明を実施するための形態】
【００１４】
以下に本発明の好ましい実施の形態を添付の図面に基づいて詳細に説明する。本発明の光学系は、複数のレンズ群を有するズームレンズや単焦点距離レンズである。複数のレンズ群のうち最も像側に配置される最終レンズ群は、像側に凹面を向けた樹脂材料よりなる樹脂レンズと、樹脂レンズの像側に１枚以上の硝子材料よりなる硝子レンズを有している。
【００１５】
図１は、本発明の実施例１の光学系の広角端におけるレンズ断面図である。図２（Ａ）、（Ｂ）は、本発明の実施例１の広角端と望遠端における物体距離無限のときの収差図である。図３は、本発明の実施例１の広角端における物体距離無限のときの撮像面と樹脂レンズの像側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００１６】
図４は、本発明の実施例１の広角端における物体距離無限のときの樹脂レンズの像側のレンズ面と隣接する硝子レンズの物体側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。図５は、本発明の実施例１の望遠端における物体距離無限のときの撮像面と樹脂レンズの像側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００１７】
図６は、本発明の実施例１の望遠端における物体距離無限のときの樹脂レンズの像側のレンズ面と隣接する硝子レンズの物体側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００１８】
図７は、本発明の実施例２の光学系の広角端におけるレンズ断面図である。図８（Ａ）、（Ｂ）は、本発明の実施例２の広角端と望遠端における物体距離無限のときの収差図である。図９は、本発明の実施例２の、広角端における物体距離無限のときの撮像面と樹脂レンズの像側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００１９】
図１０は、本発明の実施例２の広角端における物体距離無限のときの樹脂レンズの像側のレンズ面と隣接する硝子レンズの物体側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００２０】
図１１は、本発明の実施例２の望遠端における物体距離無限のときの撮像面と樹脂レンズの像側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００２１】
図１２は、本発明の実施例２の望遠端における物体距離無限のときの樹脂レンズの像側のレンズ面と隣接する硝子レンズの物体側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００２２】
図１３は本発明の実施例３のレンズ断面図である。図１４は、本発明の実施例３の単焦点レンズよりなる光学系の物体距離無限のときの収差図である。図１５は、本発明の実施例３の物体距離無限のときの撮像面と樹脂レンズの像側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す説明図である。
【００２３】
図１６は、本発明の実施例３の物体距離無限のときの樹脂レンズの像側のレンズ面と隣接する硝子レンズの物体側のレンズ面の間で発生するゴースト概略図である。（Ａ）はゴースト光路図、（Ｂ）はゴースト光路図の樹脂レンズ近傍の拡大図、（Ｃ）は撮像面上でのゴースト光の集光度合いを表す図である。図１９は本発明の撮像装置の要部概略図である。
【００２４】
本発明の光学系はデジタルカメラ、ビデオカメラ、銀塩フィルムカメラ等の撮像装置や望遠鏡、双眼鏡の観察装置、複写機、プロジェクター等の光学機器に用いられるものである。レンズ断面図において、左方が前方（物体側、拡大側）で右方が後方（像側、縮小側）である。レンズ断面図において、ｉは物体側から像側へ各レンズ群の順序を示し、Ｌｉは第ｉレンズ群である。
【００２５】
ＳＰは開放Ｆナンバー（Ｆｎｏ）光束を決定（制限）する開口絞りの作用をするＦナンバー決定部材（以下「開口絞り」ともいう。）である。ＩＰは像面であり、ビデオカメラやデジタルスチルカメラ等の撮影光学系として使用する際にはＣＣＤセンサやＣＭＯＳセンサ等の固体撮像素子（光電変換素子）の撮像面が置かれる。又、銀塩フィルム用カメラの撮影光学系として使用する再には、フィルム面に相当する感光面が置かれている。
【００２６】
矢印は広角端から望遠端へのズーミングに際しての各レンズ群の移動軌跡を示している。フォーカスに関する矢印は無限遠物体から近距離物体へのフォーカシングに際してのレンズ群の移動方向を示している。それぞれの収差図は、左から順に、球面収差（軸上色収差）、非点収差、歪曲、倍率色収差を表している。球面収差と倍率色収差を示す収差図において、実線はｄ線（５８７．６ｎｍ）、破線はｇ線（４３５．８ｎｍ）を表している。
【００２７】
また、非点収差を示す収差図において、実線はｄ線のサジタル方向、破線はｄ線のメリディオナル方向を表している。また、歪曲を示す収差図は、ｄ線における歪曲を表している。
【００２８】
図１の実施例１の光学系は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４を示している。正の屈折力の第５レンズ群Ｌ５、正の屈折力の第６レンズ群Ｌ６で構成される、６群ズームレンズである。実施例１はズーム比７．０である。最終レンズ群である第６レンズ群Ｌ６は、１枚の硝子材よりなる硝子レンズと、その物体側に樹脂材料よりなり、非球面を含む樹脂レンズＰＭより構成されている。
【００２９】
実施例１のズームレンズでは、広角端から望遠端のズーム位置へのズーミングに際して、第１レンズ群Ｌ１と第３レンズ群Ｌ３乃至第６レンズ群Ｌ６が物体側へ移動し、第２レンズ群Ｌ２は像側に凸状の軌跡を描いて移動する。
【００３０】
フォーカスは、第４レンズ群を物体側に移動させることによって 行われている。
【００３１】
図７の実施例２の光学系は物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４で構成されている４群ズームレンズである。実施例２はズーム比４．７である。最終レンズ群である第４レンズ群Ｌ４が、１枚の硝子レンズと、その物体側に樹脂材料よりなり、非球面を含む樹脂レンズＰＭより構成されている。
【００３２】
実施例２では広角端から望遠端へのズーミングに際して矢印のように第１レンズ群Ｌ１、第３レンズ群Ｌ３、第４レンズ群Ｌ４は物体側へ移動している。第２レンズ群Ｌ２は像側へ凸状の軌跡を描いて移動している。
【００３３】
フォーカスは、第２レンズ群を物体側に移動させることによって行われている。
【００３４】
図１３の実施例３の光学系は、単焦点レンズである。開口絞りＳＰより物体側が前群、像側が後群ＬＲである。開口絞りＳＰよりも像側の後群ＬＲの最も像側の硝子レンズの物体側に樹脂材料よりなる樹脂レンズＰＭを配置している。各実施例において、樹脂レンズＰＭの像側のレンズ面の曲率半径をＲｐ２とする。樹脂レンズＰＭの像側に隣接した第１硝子レンズの物体側のレンズ面の曲率半径をＲｒ１とする。樹脂レンズＰＭと第１硝子レンズの間隔をｄｐとする。樹脂レンズＰＭの焦点距離をｆｐとする。樹脂レンズＰＭの像側に配置されている全ての硝子レンズの合成焦点距離をｆｒとする。
【００３５】
このとき、光学系が複数のレンズ群を有し、ズーミングに際して隣り合うレンズ群の間隔が変化するズームレンズのときは、
３．０＜｜ｆｐ／ｆｒ｜                                      ・・・（１）
０．００３＜｛（１／Ｒｐ２）−（１／Ｒｒ１）｝×ｄｐ≦０．００８０・・・（２Ｘ）
又は光学系が６群ズームレンズもしくは４群ズームレンズのときは、
３．０＜｜ｆｐ／ｆｒ｜                                      ・・・（１）
０．００３＜｛（１／Ｒｐ２）−（１／Ｒｒ１）｝×ｄｐ＜０．６・・・（２）
なる条件式を満足している。
また光学系が単焦点レンズのときは、
３．０＜｜ｆｐ／ｆｒ｜    ・・・（１）
０．００３＜｛（１／Ｒｐ２）−（１／Ｒｒ１）｝×ｄｐ≦０．０１２４・・・（２Ｙ）
なる条件式を満足している。樹脂レンズを使用する光学系では、温度変化による樹脂材料の屈折率の変化により、使用時の温度によってピント位置や性能劣化が生じないように、樹脂レンズのパワー（近軸パワー）をなるべく弱くしている。
【００３６】
しかしながら、樹脂レンズのパワーを弱くしても、樹脂材料自体の複屈折や内部の屈折率変動により、樹脂レンズの内部が不均一なパワーを持った状態になる。この結果、光学性能が低下してくる。
【００３７】
そこで本発明では、樹脂レンズのパワーを弱くするとともに、光学系中における樹脂レンズを軸上光線の入射高ｈが低くなる位置に用いている。これによって、樹脂レンズの内部に複屈折や内部屈折率の変動があっても結像性能に対して極力影響がないようにしている。具体的には、光学系の最も像側の最終レンズ群に樹脂レンズを配置している。
【００３８】
最終レンズ群は、軸上光線の入射高が比較的低く、軸外主光線の入射高ｈが高くなる。このため、本発明では樹脂レンズによる非球面効果を球面収差やコマ収差等の軸上収差の補正に対して用いるのではなく、歪曲収差や像面湾曲などの軸外収差の補正のために用いている。更に、樹脂レンズのパワーを条件式（１）の範囲の如く特定することで、樹脂レンズの材料の温度変化による屈折率変化に対するピント移動や光学性能の劣化を小さくしている。
【００３９】
条件式（１）は、樹脂レンズの焦点距離に対する、その像側に配置される硝子レンズの合成焦点距離（硝子レンズが１つのときは１つの硝子レンズの焦点距離）の比率に関する。条件式（１）を逸脱すると、樹脂レンズのパワーが強くなり過ぎ、樹脂レンズの環境変化による屈折率の変化が大きくなり、全系の光学性能が劣化し、またピント移動が大きくなってくる。条件式（１）は、より好ましくは条件式（１ａ）を満たすと良い。
【００４０】
５．０＜｜ｆｐ／ｆｒ｜                    ・・・（１ａ）
非球面形状よりなる、樹脂レンズのパワーを弱くすると、その非球面成分により収差補正の効果を得る反面、近軸成分を持たない分、硝子よりなる非球面レンズに比べて設計自由度を逸し、全系の小型化と高性能化を図るのが難しくなる。
【００４１】
そこで各実施例では、樹脂レンズを、像側に凹面を向けた形状にしている。そして、硝子レンズと樹脂レンズの間の空気レンズにパワーを持たせ、樹脂レンズへの光束の入射時と、出射時共に、軸上光線及び軸外主光線に対し、強い屈折力を持たせている。それにより、近軸成分がほとんど屈折力を持たないため軸上光線の角度や、軸外主光線の角度を変える効果が少ないものの、軸上光線の高さや軸外主光線の高さを変え、効果的に収差補正を行っている。これにより全系の小型化と高性能化に支障を来たすことなく、ほとんど屈折力を持たないの樹脂レンズを効果的に用いている。
【００４２】
ここで、樹脂レンズを像側に凹面とした場合、図１７（Ａ）に示すような撮像素子の撮像面ＩＰａと樹脂レンズＰＭの像側のレンズ面ＰＭａの間よりゴースト光が発生しやすくなる。図１７（Ｂ）は像面におけるゴースト光を示している。また図１８（Ａ）に示すように樹脂レンズＰＭと、それに隣接する硝子レンズＧＬのレンズ面ＧＬａとの間よりゴースト光が発生し、それが撮像素子面ＩＰａに集光しやすくなってくる。
【００４３】
図１８（Ｂ）は像面におけるゴースト光を示している。また、樹脂レンズの屈折力を非常に小さくしているため、樹脂レンズの両側のレンズ面で２重に前述した対像面や、対隣接硝子面との間よりゴーストが発生しやすくなる。更に、樹脂レンズのレンズ面は前述した通り、通常の硝子レンズよりも反射率が高い傾向にあるため、これらのゴーストが強い強度で発生しやすくなる。
【００４４】
そこで各実施例では、樹脂レンズと硝子レンズの形状を最適化することで、それらによって形成される空気レンズに十分なパワーを持たせつつ、これらのゴースト光の集光を避けている。具体的には、光学系が複数のレンズ群を有し、ズーミングに際して隣り合うレンズ群の間隔が変化するズームレンズのときは条件式（２Ｘ）の範囲としている。光学系が実施例１の６群ズームレンズ又は実施例２の４群ズームレンズのときは条件式（２）の範囲としている。また光学系が実施例３の単焦点レンズのときは条件式（２Ｙ）の範囲としている。条件式（２）、（２Ｘ）、（２Ｙ）の上限を逸脱すると、樹脂レンズのレンズ面の曲率が強過ぎ、光軸方向のブロック長が長くなるため、全系が大型化してしまう。また樹脂レンズの製造が困難になってしまう。
【００４５】
条件式（２）、（２Ｘ）、（２Ｙ）の下限を逸脱すると、樹脂レンズのレンズ面と硝子レンズのレンズ面の間の空気レンズのパワーが弱くなり、樹脂レンズの近軸成分による収差補正の効果が弱まる。この他、撮像面と樹脂レンズのレンズ面との間や、隣接する硝子レンズよりなるレンズ面と樹脂レンズのレンズ面との間で発生するゴースト光が撮像面に結像しやすくなってしまう。条件式（２）、（２Ｘ）、（２Ｙ）のうち条件式（２）はより好ましくは、条件式（２ａ）を満たすと良い。
【００４６】
０．００５＜｛（１／Ｒｐ２）−（１／Ｒｒ１）｝×ｄｐ＜０．４００・・・（２ａ）
各実施例において更に好ましくは次の諸条件のうちの１以上を満足するのが良い。光学系のバックフォーカス（光学系がズームレンズの場合は、広角端におけるバックフォーカス）をｂｋｗとする。光学系がズームレンズであるときは、望遠端におけるバックフォーカスをｂｋｔとする。このとき、次の条件式のうち１以上を満足するのが良い。
【００４７】
０．３＜｛１／Ｒｐ２＋（ｂｋｗ−ｆｒ）／ｆｒ２｝×ｂｋｗ＜６．０  ・・・（３）
０．３＜｛１／Ｒｐ２＋（ｂｋｔ−ｆｒ）／ｆｒ２｝×ｂｋｔ＜６．０  ・・・（４）
本発明の光学系では、撮像面と光学系の一部を構成する樹脂レンズの像側のレンズ面との間で反射する反射光（迷光）が再び撮像面に入射し集光するのを軽減するようにしている。いま、光線の進行を便宜上、像面から物体側へ逆に追跡して考える。
【００４８】
樹脂レンズの像側に配置されている全ての硝子レンズ（合成硝子レンズ）の合成焦点距離をｆｒとする。合成硝子レンズの後側主点から物体（像面部）までの距離をＸ（≒ｂｋｗ−ｆｒ）とする。像面からの光束が合成硝子レンズで結像される前側主点からの距離をＸ’とする。そうすると、ニュートンの公式（ＸＸ’＝−ｆｒ２）から、Ｘ’＝−ｆｒ２／（ｂｋｗ−ｆｒ）となる。
【００４９】
これが、合成硝子レンズの物体に隣接する樹脂レンズの像側のレンズ面の近軸曲率半径と一致した時、撮像面からの反射光が、樹脂レンズの像側のレンズに垂直入射するため、そのまま反射し、その反射光が再び同じ光路を通り、撮像面へと結像されることになる。よって、１／Ｒｐ２を−１／Ｘに対して極力大きくすると、樹脂レンズの像側のレンズ面での反射光が、像面よりも手前で結像し、撮像面上ではゴースト光が十分に分散するため、好ましい。
【００５０】
具体的には条件式（３）を満たすと良い。条件式（３）の下限値を逸脱すると、撮像面からの反射光が樹脂レンズの像側のレンズ面で反射し、撮像面付近で結像してしまう。
【００５１】
条件式（３）は、より好ましくは条件式（３ａ）を満たすと良い。
【００５２】
０．５＜｛１／Ｒｐ２＋（ｂｋｗ−ｆｒ）／ｆｒ２｝×ｂｋｗ＜３．０・・・（３ａ）
次に、本発明の光学系がズームレンズの場合、広角端及び望遠端においても同様にこの条件式（３）と同様な条件式を満たすと良い。具体的には、条件式（４）を満たすと良い。条件式（４）は、より好ましくは、条件式（４ａ）を満たすと良い。
【００５３】
０．６＜｛１／Ｒｐ２＋（ｂｋｔ−ｆｒ）／ｆｒ２｝×ｂｋｔ＜５．０・・・（４ａ）
以上各実施例によれば、樹脂レンズを使用しても、樹脂レンズ特有の複屈折や屈折率不均一性に対する光学性能の劣化が小さく、かつ全系の小型化と高い光学性能が容易に得られる。更に樹脂レンズのレンズ面に起因するゴースト光を軽減した光学系を容易に得ることができる。
【００５４】
次に各実施例における好ましい構成について説明する。各実施例の光学系において、樹脂レンズの像側に配置される合成硝子レンズの合成パワー（屈折力）は正であることが好ましい。尚、樹脂レンズの像側に配置される硝子レンズが１つのときは、そのパワーが正であることが好ましい。
【００５５】
合成硝子レンズの合成パワーが負であった場合、像面からの光束が硝子レンズの物体側で更に発散角度が大きくなる。このため、その光束が樹脂レンズの像側のレンズ面で反射して、像面よりも十分手前で結像させるには、樹脂レンズの像側のレンズ面の曲率を大きくする必要があり、小型化や製造が難しくなり好ましくない。
【００５６】
また、実施例１、２の光学系は、物体側より像側へ順に、正のパワー（屈折力）の第１レンズ群、負のパワーの第２レンズ群を有する、所謂ポジティブリード型のズームレンズである。この光学系の最終レンズ群に前述した条件式（１）、（２）を満足する構成とすることが好ましい。ポジティブリード型のズームレンズでは、変倍効果の多くを正の屈折力の第１レンズ群と負の屈折力の第２レンズ群の間隔を広げることで行っている。
【００５７】
そのため、最終レンズ群のブロック長が、樹脂レンズの厚み分だけ長くなったとしても、最終レンズ群の変倍寄与が、ネガティブリード型のズームレンズに比べて低い。このため、全系が、大型化することなく、最終レンズ群に樹脂レンズを使用するのが容易となる。また、樹脂レンズのレンズ鏡筒内での保持方法は、像側に隣接する硝子レンズのレンズ面に周辺部を接着させることで行うことが好ましい。通常の硝子レンズを保持する場合、熱でレンズ鏡筒の一部を変形させてレンズを挟み込む、熱加締め保持や、鏡筒に押え環をねじ込む方法が用いられる。
【００５８】
しかしながら、樹脂レンズでは、熱によりレンズ自体が変形しやすかったり、応力に対する複屈折の発生が大きかったりする。このため、これらの方法を用いにくく、主に接着保持が用いられている。その接着に際し、樹脂レンズを硝子レンズ自体に接着すると、レンズ鏡筒の温度変化による変形に依存されず、硝子レンズとの相対位置関係が保持されるため好ましい。また、硝子レンズと樹脂レンズの間に、樹脂レンズを突き当てるためのある程度厚みを持つ胴付き面を挿入する必要もなくなるため、小型化にも有利である。
【００５９】
各実施例で言うレンズ群とは、ズームレンズの場合、光学系の最前レンズ面または、前方に隣接するレンズとの間隔がズーミングで変化するレンズ面から、光学系の最後レンズ面を言う。または、後方に隣接するレンズとの間隔がズーミングで変化するレンズ面までを言うものとする。また、単焦点レンズの場合、開口絞りを境にレンズ群を分ける。この他樹脂レンズを含む４枚以下、または樹脂レンズを含まない３枚以下の連続する任意のレンズを言う。各実施例の光学系は、例えば撮像装置、画像投影装置やその他の光学機器に、適用可能である。
【００６０】
以下、各実施例における構成について説明する。実施例１の光学系は前述した構成よりなる６群ズームレンズである。第６レンズ群Ｌ６では、軸上光線の入射高が小さく、軸外主光線の入射高が大きい。そのため、樹脂レンズＰＭ内の複屈折や屈折率分布が生じても、球面収差やコマ収差等の軸上収差への影響が小さく、比較的良好な結像性能を得られる上、歪曲収差や像面湾曲等の軸外収差を良好に補正するのが容易である。また、樹脂レンズＰＭは、条件式（１）を満たしており、十分にパワーが弱いため、温度変化による屈折率変化に対する結像性能やピント位置の変化が小さい。
【００６１】
また、樹脂レンズＰＭの像側のレンズ面は凹形状で、更に条件式（２）、（３）を満たしている。それにより、樹脂レンズＰＭとガラス面との間の空気レンズのパワーを強くし、樹脂レンズＰＭの近軸曲率成分による収差補正の効果を得ている。それと共に、樹脂レンズの像側のレンズ面と撮像面、また樹脂レンズの像側のレンズ面とその隣接する硝子レンズ面との間より生ずるゴースト光の結像を軽減している。
【００６２】
また、望遠端においても、条件式（４）を満たしており、同様の効果を得ている。また、第６レンズ群Ｌ６に樹脂レンズを配置したことで、像側から樹脂レンズの像側のレンズ面に入射する光束をアフォーカルに近くしている。それにより樹脂レンズの像側のレンズ面の曲率を強くし過ぎることなく、硝子レンズとの間の空気レンズに十分なパワーを持たせている。また、実施例１のズームレンズは、正の屈折力の第１レンズ群Ｌ１と負の屈折力の第２レンズ群Ｌ２との間隔を広げることで主に変倍効果を得ている。
【００６３】
そのため、第６レンズ群Ｌ６に樹脂レンズを配置することで、硝子レンズの非球面を使用する場合に比べてブロック長が長くなったとしても、それが変倍に与える影響は小さく、全系の小型化と高性能化を図っている。また、樹脂レンズのレンズ鏡筒内の保持は、その像側の硝子レンズ面に接着することで行っている。これにより、環境変化が生じても、硝子レンズと樹脂レンズの相対関係を良好に保持すると共に、樹脂レンズ用の胴付き部を設ける必要がないため、全系の小型化を容易にしている。
【００６４】
実施例２の光学系は前述した構成よりなる４群ズームレンズである。第４レンズ群Ｌ４では、軸上光線の入射高が小さく、軸外主光線の入射高が大きい。そのため、樹脂レンズＰＭ内の複屈折や屈折率分布が生じても、球面収差やコマ収差等の軸上収差への影響が小さく、比較的良好な結像性能を得られる上、歪曲収差や像面湾曲等の軸外収差を良好に補正するのが容易である。樹脂レンズの形状や保持方法、またその像側の硝子レンズのパワー条件、及び他のレンズ群の働き等は、実施例１と同様である。
【００６５】
実施例３の光学系は前述した如く単焦点距離レンズである。樹脂レンズＰＭの位置は、軸上光線の入射高が小さく、軸外主光線の入射高が大きい。そのため、樹脂レンズＰＭ内の複屈折や屈折率分布が生じても、球面収差やコマ収差等の軸上収差への影響が小さく、比較的良好な結像性能を得られる上、歪曲収差や像面湾曲等の軸外収差を良好に補正するのが容易である。また、樹脂レンズＰＭは、条件式（１）を満たしており、十分にパワーが弱いため、温度変化による屈折率変化に対する結像性能やピント位置の変化が小さい。
【００６６】
また、樹脂レンズＰＭの像側のレンズ面は凹形状であり、更に条件式（２Ｙ）、（３）を満たしている。それにより、樹脂レンズＰＭとガラス面との間の空気レンズのパワーを強くし、樹脂レンズの近軸曲率成分による収差補正の効果を得ている。それと共に、樹脂レンズの像側のレンズ面と撮像面、また樹脂レンズの像側のレンズ面とその隣接する硝子レンズ面との間より生ずるゴースト光の結像を軽減している。また、樹脂レンズの像側の硝子レンズが正のパワーであり、像側から樹脂レンズの像側のレンズ面に入射する光束をアフォーカルに近くしている。
【００６７】
それにより樹脂レンズの像側のレンズ面の曲率を強くし過ぎることなく、硝子レンズとの間の空気レンズに十分なパワーを持たせている。また、樹脂レンズのレンズ鏡筒内の保持は、その像側の硝子レンズ面に接着することで行っている。これにより、環境変化が生じても、硝子レンズと樹脂レンズの相対関係を良好に保持すると共に、樹脂レンズ用の胴付き部を設ける必要がないため、全系の小型化を容易にしている。
【００６８】
以上、本発明の好ましい光学系の実施例について説明したが、本発明はこれらの実施例に限定されないことは言うまでもなく、その要旨の範囲内で種々の変形及び変更が可能である。
【００６９】
次に本発明の光学系を撮影光学系として用いた実施例を図１９を用いて説明する。図１９において、１０は一眼レフカメラ本体、１１は本発明による光学系を搭載した交換レンズである。１２は交換レンズ１１を通して得られる被写体像を記録する銀塩フィルムや被写体像を受光する撮像素子（光電変換素子）などの感光面である。１３は交換レンズ１１からの被写体像を観察するファインダー光学系、１４は交換レンズ１１からの被写体像を感光面１２とファインダー光学系１３に切り替えて伝送するための回動するクイックリターンミラーである。
【００７０】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は感光面記録手段１２に形成され、結像して記録される。このように本発明の光学系を一眼レフカメラ交換レンズ等の光学機器（撮像装置）に適用することにより、高い光学性能を有した光学機器が実現できる。
【００７１】
尚、本発明はクイックリターンミラーのないＳＬＲ（Single Lens Reflex）カメラにも同様に適用することができる。またクイックリターンのないミラーレスの一眼レフカメラにも適用できる。この他、本発明の光学系はビデオカメラにも同様に適用することができる。以上、本発明の好ましい実施形態について説明したが、本発明はこれらの実施形態に限定されず、その要旨の範囲内で種々の変形及び変更が可能である。
【００７２】
本発明の実施例１乃至３に対応する数値実施例１乃至３のレンズデータを示す。各数値実施例において、ｉは物体側から面の順序を示し、ｒｉはｉ番目のレンズ面（第ｉ面）の曲率半径、ｄｉは第ｉ面と第（ｉ＋１）面との間の間隔である。ｎｄｉはｄ線に対しての屈折率、νｄｉはアッベ数である。また各レンズ面の光線有効径を示している。また、屈折率の右側に（Ｐ）と記される材料が、樹脂材料であることを表している。また、焦点距離、Ｆナンバー等のスペックに加え、画角は全系の半画角（度）、像高は半画角を決定する最大像高である。
【００７３】
レンズ全長は第１レンズ面から最終レンズ面までの距離にバックフォーカスを加えた値である。ＢＦはバックフォーカスであり、最終レンズ面から像面までの空気換算での長さを示している。尚、第１面ｒ１は設計に際して用いたダミー面であり、レンズ群を構成するものではない。また、ズーム群データは、各レンズ群の焦点距離、光軸上の長さ、前側主点位置、後側主点位置を表している。また、面番号の後ろに＊が付いている面は非球面であり、その非球面形状は、光軸に垂直な方向にｈ離れた位置での、光軸方向の面位置をＳａｇ（Ｒ）とした時、
【００７４】
【数１】
0005896684.tif 000002
【００７５】
の関係を満足する形状であり、各非球面の非球面係数を各表に記す。
【００７６】
但し、ｋは円錐定数、Ａ４，Ａ６，Ａ８，Ａ１０，Ａ１２は４次、６次、８次、１０次、１２次の非球面係数、ｒは近軸曲率半径である。また、「ｅ−０Ｘ」は「×１０−Ｘ」を意味している。また、各光学面の間隔ｄが（可変）となっている部分は、ズーミングに際して変化するものであり、別表に焦点距離に応じた面間隔を記している。尚、以下に記載する数値実施例１から３のレンズデータに基づく、各条件式の計算結果を表１に示す。
【００７７】
（数値実施例１）
面データ
面番号       r        d      nd         νd       有効径
1          ∞       1.50                         58.92
2        104.140    1.90   1.84666    23.8       51.73
3         58.510    7.60   1.49700    81.5       50.20
4      -1912.379    0.15                         49.80
5         52.694    6.10   1.60311    60.6       47.77
6        246.033  (可変)                         46.90
7        168.139    1.45   1.83481    42.7       29.97
8         14.964    7.09                         22.64
9        -44.861    1.20   1.77250    49.6       22.36
10         71.593    0.15                         22.12
11         29.622    5.78   1.84666    23.8       22.29
12        -48.966    1.10   1.77250    49.6       21.56
13         88.902  (可変)                         20.59
14         77.033    1.96   1.80518    25.4       14.18
15        -56.803  (可変)                         14.04
16        -32.757    0.70   1.90366    31.3       13.31
17        222.401  (可変)                         13.51
18         31.954    3.40   1.60311    60.6       14.89
19        -38.296    0.77                         14.86
20(絞り)    ∞       3.30                         14.47
21         22.883    5.01   1.60311    60.6       13.97
22        -21.713    0.75   1.84666    23.8       13.15
23         66.917    2.88                         12.84
24       -115.785    0.70   1.74950    35.3       12.60
25         12.517    2.58   1.84666    23.8       12.64
26         32.028  (可変)                         12.66
27*        34.299    1.70   1.52996(P) 55.8       15.58
28         34.641    0.60                         16.14
29         64.703    3.33   1.56732    42.8       16.27
30        -32.598                                 16.90
非球面データ
第27面
K = 0.00000e+000  A 4=-3.04320e-005  A 6= 7.58972e-010  A 8= 3.90804e-010  A10=-1.61645e-011  A12= 1.35590e-013  
各種データ
ズーム比      7.02 
広角     中間     望遠
焦点距離      18.60    51.00   130.50  
Fナンバー      3.59     4.87     5.88  
画角          36.29    14.99     5.98  
像高          13.66    13.66    13.66  
レンズ全長   138.01   158.69   187.48  
BF            35.60    56.38    70.79  
d 6            0.90    22.04    42.10  
d13           23.86     6.07     1.50  
d15            2.54     4.27     8.61  
d17            7.55     5.81     1.48  
d26            5.86     2.40     1.30  
ズームレンズ群データ
群  始面    焦点距離  レンズ構成長  前側主点位置  後側主点位置
1    1      87.71        17.25         5.30         -6.31
2    7     -16.65        16.77         1.89         -9.97
3   14      40.87         1.96         0.63         -0.46
4   16     -31.55         0.70         0.05         -0.32
5   18      34.05        19.40       -12.26        -19.09
6   27      38.76         5.63         2.52         -1.42
【００７８】
（数値実施例２）
面データ
面番号       r        d      nd         νd       有効径
1          ∞       1.50                         61.54
2         57.129    1.90   1.90366    31.3       50.23
3         38.015    9.05   1.60311    60.6       45.60
4      -1914.782  (可変)                         43.99
5        183.839    1.45   1.77250    49.6       32.56
6         15.343    7.34                         24.27
7        -81.478    1.20   1.60311    60.6       24.03
8         36.351    0.15                         23.33
9         24.451    4.90   1.84666    23.8       23.49
10        124.340    1.10   1.83400    37.2       22.48
11         62.415  (可変)                         21.93
12         52.796    2.61   1.51742    52.4       13.13
13        -52.924    1.60                         13.06
14(絞り)    ∞       2.79                         12.75
15         16.699    3.74   1.60311    60.6       12.98
16        -85.337    0.75   1.84666    23.8       12.38
17         36.575    2.88                         12.07
18        -99.195    0.70   1.66680    33.0       11.81
19         14.111    2.18   1.84666    23.8       11.76
20         29.653  (可変)                         11.62
21*        38.519    1.50   1.52996(P) 55.8       13.24
22         46.437    0.50                         13.45
23        135.394    2.98   1.51633    64.1       13.55
24        -22.930                                 14.15
非球面データ
第21面
K = 0.00000e+000  A 4=-5.27951e-005  A 6= 4.78513e-007  A 8=-2.61300e-008  A10= 5.27563e-010  A12=-3.81502e-012  
各種データ
ズーム比      4.73 
広角     中間     望遠
焦点距離      18.60    50.99    87.97  
Fナンバー      3.59     5.26     5.88  
画角          36.29    15.00     8.83  
像高          13.66    13.66    13.66  
レンズ全長   125.04   140.24   164.98  
BF            35.60    60.68    69.29  
d 4            2.85    19.77    41.74  
d11           31.89     7.24     1.84  
d20            3.88     1.73     1.30  
ズームレンズ群データ
群  始面    焦点距離  レンズ構成長  前側主点位置  後側主点位置
1    1     120.02        12.45         0.81         -7.34
2    5     -19.74        16.14         1.94         -9.62
3   12      53.97        17.24       -14.03        -21.02
4   21      35.50         4.98         2.57         -0.96
【００７９】
（数値実施例３）
面データ
面番号       r        d      nd         νd       有効径
1          ∞       1.50                         22.43
2        200.038    2.22   1.91082    35.3       19.56
3        -76.495    0.15                         18.84
4        157.278    0.80   1.48749    70.2       17.35
5         15.068    5.90                         14.93
6        -18.743    0.80   1.60342    38.0       12.48
7         83.910    1.40                         12.24
8         28.712    2.62   1.91082    35.3       12.42
9       -131.232    7.80                         12.24
10(絞り)    ∞       2.00                         12.65
11         21.057    4.44   1.60311    60.6       12.86
12        -16.290    0.75   1.76182    26.5       12.42
13        -73.549    2.49                         12.25
14        -18.649    0.70   1.75520    27.5       11.69
15         11.313    3.18   1.84666    23.8       12.07
16        277.802    1.49                         12.13
17*        95.586    1.50   1.52996(P) 55.8       12.31
18        150.370    0.60                         12.68
19        -71.759    2.69   1.77250    49.6       12.81
20        -16.548                                 13.67
像面        ∞   
非球面データ
第17面
K = 0.00000e+000  A 4=-8.74505e-005  A 6= 1.98026e-008  A 8= 3.86673e-009  A10=-1.08812e-010  A12= 7.00052e-013  
焦点距離      29.48  
Fナンバー      2.92  
画角          24.86  
像高          13.66  
レンズ全長    78.43  
BF            35.40  
【００８０】
【表１】
0005896684.tif 000003
【符号の説明】
【００８１】
ＳＰ：絞り
ＩＰ：撮像面
Ｌ１〜Ｌ６：第１レンズ群〜第６レンズ群
ＰＭ：プラスチック非球面レンズ
Ｆｏｃｕｓ：フォーカシングで移動する群と、その移動方向
【図１】
0005896684.tif 000004
【図２】
0005896684.tif 000005
【図３】
0005896684.tif 000006
【図４】
0005896684.tif 000007
【図５】
0005896684.tif 000008
【図６】
0005896684.tif 000009
【図７】
0005896684.tif 000010
【図８】
0005896684.tif 000011
【図９】
0005896684.tif 000012
【図１０】
0005896684.tif 000013
【図１１】
0005896684.tif 000014
【図１２】
0005896684.tif 000015
【図１３】
0005896684.tif 000016
【図１４】
0005896684.tif 000017
【図１５】
0005896684.tif 000018
【図１６】
0005896684.tif 000019
【図１７】
0005896684.tif 000020
【図１８】
0005896684.tif 000021
【図１９】
0005896684.tif 000022